(57)【特許請求の範囲】
【請求項１】
複数の孔部が形成された搬送ベルトであって吸引手段から供給される吸引力によって用紙を上面に吸着して搬送する搬送ベルトを備え、感光体の回転速度によって規定されるプロセス速度として複数の解像度のそれぞれに応じた複数の速度のいずれかを選択して画像形成プロセスを実行するとともに、プロセス速度の変化に応じて変化する搬送速度で前記搬送ベルトを移動させる画像形成装置において、
前記搬送ベルトから用紙に作用する吸引力をプロセス速度の上昇にともなって増加させる制御手段を備え、
前記搬送ベルトと吸引手段との間に、前記搬送ベルトによる用紙搬送方向に直交する方向に沿って複数の調整孔をそれぞれの間に所定幅の間隔部分を設けて形成した切換板を、前記直交する方向に移動自在に備え、
前記制御手段は、プロセス速度の高低に応じて前記切換板を移動させて、前記複数の孔部のそれぞれにおける前記間隔部分の対向状態を変化させることを特徴とする画像形成装置。
【請求項２】
前記吸引手段は、前記搬送ベルトに駆動力を減速駆動機構を介して供給する駆動源と同一の駆動源から等速駆動機構を介して駆動力の供給を受けることを特徴とする請求項１に記載の画像形成装置。
【発明の詳細な説明】
【０００１】
【発明の属する技術分野】
この発明は、電子写真方式の画像形成を行う画像形成装置であって、解像度に応じた複数のプロセス速度のいずれかにより画像形成プロセスを実行する画像形成装置に関する。
【０００２】
【従来の技術】
レーザスキャンユニットから画像データによって変調されたレーザ光を照射して感光体に形成した静電潜像をトナー像に顕像化する画像形成装置では、従来より高解像度化が進み、６００ｄｐｉ（ドット／インチ）や１２００ｄｐｉ等の高解像度モードを備えたプリンタが開発されている。さらに、複数の解像度のいずれかを選択的に切り換えて設定できるようにし、ユーザの所望する画像形成状態の印刷画像を出力できるようにしたものもある。
【０００３】
ところが、感光体の回転速度によって規定されるプロセス速度を一定にしたままで、解像度を６００ｄｐｉから１２００ｄｐｉに変更するためには、感光体表面におけるレーザビームの走査速度を２倍にすべく、レーザスキャンユニット内のポリゴンミラーの回転数を２倍にする必要があり、ポリゴンミラーを高速回転させるために技術上及び製造上の問題が生じる。
【０００４】
このため、解像度を６００ｄｐｉから１２００ｄｐｉに変更する際に、プロセス速度を半分にするようにした画像形成装置が提案されている。この構成により、解像度の変更にともなってポリゴンミラーの回転数を変更する必要がなく、ポリゴンミラーを高速回転させるための技術上及び製造上の問題は生じない。但し、プロセス速度に応じて最適な画像形成条件が変化するため、解像度の変更にともなって変化したプロセス速度に合わせて画像形成条件を制御する必要がある。
【０００５】
このため、例えば、特開平１１−１８４３１８号公報には、解像度に応じた複数のプロセス速度を選択可能にした画像形成装置として、低速のプロセス速度で高解像度の画像形成を行う現像装置、及び、高速のプロセス速度で低解像度の画像形成を行う現像装置を併設し、選択された解像度に応じて使用する現像装置を切り換えることにより、例えば、画像再現性に優れ長期間の保存に耐える現像剤を高解像度の画像形成時にのみ使用する等のプロセス速度に応じた適切な現像を行うようにした構成が開示されている。
【０００６】
一方、互いに異なるプロセス速度による複数種類の画像形成を同一の用紙搬送経路を使用して行う場合、転写工程を終了した用紙を定着装置に安定した状態で搬送するためには、転写工程位置と定着装置との間の用紙搬送経路中に用紙を吸着して搬送する吸引ファンを備えた吸引搬送手段を設ける必要がある。
【０００７】
例えば、特開平６−１２７７５１号公報には、転写工程位置の近傍に設置したセンサ及び定着装置内に設置したセンサの検出結果に基づいて、吸引ファンの駆動を制御し、転写工程後に定着装置に搬送される用紙が搬送速度差によって転写位置側で発生する弛みを解消させることにより、画像のぶれを防止するようにした構成が開示されている。
【０００８】
【発明が解決しようとする課題】
しかしながら、特開平６−１２７７５１号公報に開示された構成では、プロセス速度が変化した場合でも吸引ファンの動作速度は一定にされていたため、低速のプロセス速度時に用紙の変形を起こすことがないとともに、高速のプロセス速度時に用紙を安定して搬送できる程度の吸引力の設定が困難になる問題があった。
【０００９】
この発明の目的は、解像度の変更にともなってプロセス速度が変化した場合にも、転写位置から定着装置までの間において用紙を安定した状態で搬送することができる画像形成装置を提供することにある。
【００１０】
【課題を解決するための手段】
この発明は、上記の課題を解決するための手段として、以下の構成を備えている。
【００１１】
(1) 複数の孔部が形成された搬送ベルトであって吸引手段から供給される吸引力によって用紙を上面に吸着して搬送する搬送ベルトを備え、感光体の回転速度によって規定されるプロセス速度として複数の解像度のそれぞれに応じた複数の速度のいずれかを選択して画像形成プロセスを実行するとともに、プロセス速度の変化に応じて変化する搬送速度で前記搬送ベルトを移動させる画像形成装置において、
前記搬送ベルトから用紙に作用する吸引力をプロセス速度の上昇にともなって増加させる制御手段を備え、
前記搬送ベルトと吸引手段との間に、前記搬送ベルトによる用紙搬送方向に直交する方向に沿って複数の調整孔をそれぞれの間に所定幅の間隔部分を設けて形成した切換板を、前記直交する方向に移動自在に備え、
前記制御手段は、プロセス速度の高低に応じて前記切換板を移動させて、前記複数の孔部のそれぞれにおける前記間隔部分の対向状態を変化させることを特徴とする。
【００１２】
この構成においては、解像度に応じたプロセス速度が選択されると、選択されたプロセス速度に応じた吸引力が用紙搬送手段から用紙に作用する。したがって、解像度が変更された時にプロセス速度とともに変化する用紙搬送速度に応じて、用紙搬送手段の上面に対する用紙の吸着力が変化し、プロセス速度に拘わらず用紙搬送手段によって安定して用紙が搬送される。
【００１４】
また、高速のプロセス速度による低解像度の画像形成時には用紙搬送手段における用紙の吸着力が高くされ、低速のプロセス速度による高解像度の画像形成時には用紙搬送手段における用紙の吸着力が低くされる。したがって、用紙を高速で搬送する際に安定して用紙を搬送するために十分な吸引力で用紙搬送手段の上面に用紙が吸着するとともに、用紙を低速で搬送する際に過大な吸引力が作用することによる用紙の変形が防止される。
【００２１】
(2) 前記吸引手段は、前記搬送ベルトに駆動力を減速駆動機構を介して供給する駆動源と同一の駆動源から等速駆動機構を介して駆動力の供給を受けることを特徴とする。
【００２２】
この構成においては、吸引手段及び用紙搬送手段に対して同一の駆動源から駆動力が供給される。したがって、用紙搬送手段の駆動源とは個別の吸引手段に専用の駆動源を備える必要がなく、装置の大型化やコストの上昇を生じることがない。
【００２３】
【発明の実施の形態】
図１は、この発明の実施形態に係る画像形成装置の構成を示す概略図である。画像形成装置１は、装置内部の中央部にプロセス部１０を配置し、このプロセス部１０の上方にスキャナ部２０を配置し、さらに、プロセス部１０の右側に給紙部３０を配置して構成されている。プロセス部１０は、矢印Ｃ方向に回転自在に支持された感光体ドラム１１の周囲に、図示しない帯電器、露光ユニット１２、現像ユニット１３、転写ローラ１４及びクリーナ１５を矢印Ｃ方向の回転方向に沿ってこの順に配置して構成されている。
【００２４】
スキャナ部２０は、原稿台２１の下面に、光源２３、ミラー２４ａ〜２４ｃ、レンズ２５及び光電変換素子２６を搭載したスキャナユニット２２を矢印Ａ及びＢ方向に往復移動自在にして備えている。
【００２５】
給紙部３０は、画像形成装置１の右側面に装着された給紙トレイ３１、画像形成装置１内に挿入された給紙トレイ３１の下端部に対向する給紙ローラ３２、及び、給紙ローラ３２の周面の一部に当接する分離部材３３を備えている。画像形成装置１の内部には、右側の給紙部３０からプロセス部１０の感光体ドラム１１と転写ローラ１４との間を経由して、画像形成装置１の左側面に装着された排紙トレイ４１に至る間に用紙搬送路４０が形成されている。この用紙搬送路４０には、搬送ベルト２、定着ローラ４２及び排紙ローラ４３が配置されている。
【００２６】
以上のように構成された画像形成装置１において、原稿台２１の上面に原稿が載置された後に図示しない操作部のスタートキーが操作されると、スキャナ部２０において、スキャナユニット２２が矢印Ａ方向に移動し、原稿台２１の上面に載置された原稿の画像面が光源２３の光によって露光され、原稿の画像面における反射光がミラー２４ａ〜２４ｃ及びレンズ２５を介して光電変換素子２６の受光面に結像し、受光量に応じた電気信号が光電変換素子２６から出力される。光電変換素子２６から出力された受光信号は、ディジタルデータに変換された後に所定の画像処理を施されてプロセス部１０の露光ユニット１２に出力される。
【００２７】
プロセス部１０では、回転を開始した感光体ドラム１１の表面に対して、帯電器から単一極性の電荷が均一に付与された後、露光ユニット１２から画像データによって変調された画像光が照射される。これによって、感光体ドラム１１の表面には、光導電作用によって静電潜像が形成される。画像光の露光を受けた感光体ドラム１１の表面には、現像ユニット１３からトナーが供給され、静電潜像はトナー像に顕像化される。
【００２８】
給紙部３０では、給紙ローラ３２が回転を開始し、分離部材の分離作用によって給紙トレイ３１にセットされた用紙が１枚ずつ給紙される。給紙部３０から給紙された用紙は、その先端部が感光体ドラム１１と転写ローラ１４とが対向する位置において感光体ドラム１１の表面に担持されたトナー像の先端部と一致するタイミングで、プロセス部１０に向かって用紙搬送路４０内を搬送される。転写ローラ１４には図示しない電源部から転写電圧が印加されており、転写ローラ１４の静電気力によって感光体ドラム１１の表面に担持されたトナー像が用紙上に転写される。
【００２９】
転写工程を終了した用紙は、搬送ベルト２によって定着ローラ４２に搬送される。定着ローラ４２は、搬送された用紙を加熱及び加圧し、用紙上のトナー像を溶融して用紙に堅牢に定着させる。定着ローラ４２を通過した用紙は、排紙ローラ４３の回転によって排紙トレイ４１に排出される。
【００３０】
この画像形成装置１では、画像形成時の解像度として６００ｄｐｉと１２００ｄｐｉとのいずれかを選択できるようにされており、感光体ドラム１１の回転速度及び用紙の搬送速度であるプロセス速度を変更することによって解像度の変更を実現するようにしている。即ち、１２００ｄｐｉの解像度による画像形成時におけるプロセス速度は、６００ｄｐｉの解像度による画像形成時におけるプロセス速度の１／２にされる。
【００３１】
なお、画像形成装置１は、パーソナルコンピュータ等の外部装置から入力された画像データに基づく画像を用紙上に形成するプリンタとしても使用可能にされている。
【００３２】
図２は、この発明の第１の実施形態に係る画像形成装置に備えられる搬送ベルトの構成を示す外観図である。搬送ベルト２は、多数の孔部２ａを形成した無端状のベルトであり、駆動ローラ４及び従動ローラ５に張架されている。搬送ベルト２の環状の回転軌道内には、吸引ファン３が配置されている。吸引ファン３は、回転軌道内の上側に位置する搬送ベルト２の内周面に対向しており、孔部２ａを介して回転軌道内の上側に位置する搬送ベルト２の上面側の空気を吸引する。これによって、搬送ベルト２の上面に用紙Ｐが吸着し、駆動ローラ４の回転による搬送ベルト２の回転によって用紙Ｐは矢印Ｄ方向に搬送される。
【００３３】
このとき、搬送ベルト２の上面に対する用紙Ｐの吸着力は吸引ファン３の吸引力に応じて変化し、吸引ファン３の吸引力はその回転速度に応じて変化する。したがって、吸引ファン３の回転速度を変更することにより、搬送ベルト２の上面に対する用紙Ｐの吸着力が変化する。
【００３４】
図３は、上記画像形成装置の制御部の要部の構成を示すブロック図である。画像形成装置１の制御部５０は、ＲＯＭ５２及びＲＡＭ５３を備えたＣＰＵ５１に、操作パネル５４、インタフェース５５、搬送ベルト駆動部５６及び吸引ファン駆動部５７等の入出力機器を接続して構成されている。ＣＰＵ５１は、ＲＯＭ５２に予め格納されたプログラムにしたがって各入出力機器を統括して制御し、この間に入出力されるデータがＲＡＭ５３のメモリエリアに格納される。
【００３５】
ＣＰＵ５１は、インタフェース５５を介して外部装置６０から画像データとともに入力された解像度データ、又は、操作パネル５４における解像度に関する操作データに基づいて、設定された解像度に応じた駆動データを搬送ベルト駆動部５６及び吸引ファン駆動部５７に出力する。これによって、搬送ベルト駆動部５６は解像度に応じた速度で駆動ローラ４を回転駆動し、搬送ベルト２は解像度に応じた搬送速度で用紙Ｐを搬送する。また、吸引ファン駆動部５７は解像度に応じた速度で吸引ファン３を回転駆動し、用紙Ｐは解像度に応じた吸着力で搬送ベルト２の上面に吸着する。
【００３６】
即ち、より低解像度の６００ｄｐｉの解像度が選択された場合には、ＣＰＵ５１は、吸引ファン３の回転速度及び搬送ベルト２の搬送速度として予め設定された高低２種類の速度のうち、より速い方の速度を実現する駆動データを搬送ベルト駆動部５６及び吸引ファン駆動部５７に出力する。これによって、搬送ベルト２は、６００ｄｐｉの解像度に応じたより速いプロセス速度に一致する搬送速度で回転する。このとき、吸引ファン３も６００ｄｐｉの解像度に応じたより速い速度で回転し、比較的大きな吸引力を発生するから、搬送ベルト２の上面に対する用紙Ｐの吸着力もより強くなり、用紙Ｐは比較的速い速度で回転する搬送ベルト２の上面に確実に吸着して安定した状態で搬送される。
【００３７】
一方、より高解像度の１２００ｄｐｉの解像度が選択された場合には、ＣＰＵ５１は搬送ベルト２の搬送速度及び吸引ファン３の回転速度として予め設定された高低２種類の速度のうち、より遅い方の速度を実現する駆動データを搬送ベルト駆動部５６及び吸引ファン駆動部５７に出力する。これによって、搬送ベルト２は、１２００ｄｐｉの解像度に応じたより遅いプロセス速度に一致する搬送速度で回転する。このとき、吸引ファン３も１２００ｄｐｉの解像度に応じたより遅い速度で回転し、比較的小さな吸引力を発生するから、用紙Ｐは比較的遅い速度で回転する搬送ベルト２の上面に過剰に吸着することによる弛みを生じることなく安定した状態で搬送される。
【００３８】
なお、この実施形態に係る画像形成装置１では、解像度として６００ｄｐｉ及び１２００ｄｐｉの高低２種類の解像度のいずれかを選択できるようにし、搬送ベルト２の搬送速度及び吸引ファン３の回転速度を各解像度に合わせて高低２種類に変更できるようにしているが、選択できる解像度の種類は２種類に限るものではなく、搬送ベルト２の搬送速度及び吸引ファン３の回転速度を各解像度に応じて設定できるようにしておくことを条件に３種類以上の解像度のいずれかを選択できるようにした画像形成装置においてもこの発明を同様に実施することができる。
【００３９】
また、図４に示すように、単一のモータ５８から駆動ローラ４及び吸引ファン３のそれぞれに個別の駆動機構４ａ及び３ａを介して回転を伝達するようにしてもよい。これによって、搬送ベルト２及び吸引ファン３の駆動源を共通化し、構成及び制御を簡略化することができ、装置の小型化及びコストダウンを実現できる。図４に示す例では、駆動ローラ４に対する駆動機構４ａを一端がモータ５８の回転軸に取り付けられたウォームギアと駆動ローラ４軸に固定されたギアに噛合するウォームホイールとで構成し、吸引ファン３に対する駆動機構３ａをウォームギアの他端と吸引ファン３の回転軸とに固定された互いに噛合する傘歯ギアによって構成しているが、搬送ベルト２の搬送速度及び吸引ファン３の吸引力を考慮した減速比を設定することを条件に駆動機構４ａ及び３ａとして任意の構成を用いることができる。
【００４０】
図５は、この発明の第２の実施形態に係る画像形成装置に適用される搬送ベルトの構成を示す平面図である。この実施形態に係る画像形成装置１では、駆動ローラ４及び従動ローラ５に張架された搬送ベルト２の回転軌道の内側に合計９個の吸引ファン１０３ａ〜１０３ｉを、それぞれ個別にオン／オフできる状態にして備えている。この構成において、制御部５０のＣＰＵ５１は、設定された解像度に応じて、９個の吸引ファン１０３ａ〜１０３ｉのうちで駆動する吸引ファンの数を変更する。
例えば、設定可能な複数種類の解像度のうちの最も低い解像度が設定された場合には、ＣＰＵ５１は９個の吸引ファン１０３ａ〜１０３ｉの全てを駆動する。これによって、用紙Ｐは十分な吸着力で搬送ベルト２の上面に吸着し、比較的高速の搬送速度で用紙Ｐを安定して搬送することができる。一方、ＣＰＵ５１は、設定された解像度が高くなるにしたがって、９個の吸引ファン１０３ａ〜１０３ｉのうち駆動する吸引ファンの数を少なくする。これによって、解像度が高くなるにしたがって低下する搬送速度に応じて、搬送ベルト２の上面に対する用紙Ｐの吸着力が低下し、この吸着力が用紙Ｐの搬送速度に対して過大となることがなく、用紙Ｐにおける変形の発生を未然に防止することができる。
【００４１】
図６は、この発明の第３の実施形態に係る画像形成装置に適用される搬送ベルトの構成を示す外観図である。この実施形態に係る画像形成装置１は、駆動ローラ４及び従動ローラ５に張架された搬送ベルト２の回転軌道の内側において、回転軌道内の上側に位置する搬送ベルト２の内周面と吸引ファン３との間に切換機構６を設けたものである。
【００４２】
切換機構６は、図６及び図７に示すように、複数の調整孔７を形成した切換板６ａを一対のガイド６ｂ，６ｂによって搬送ベルト２の内周面に平行に、かつ、用紙Ｐの搬送方向に直交する方向に所定範囲内で移動自在に支持している。切換板６において用紙Ｐの搬送方向に直交する２辺のそれぞれの一端側にはラックギア６ｃ，６ｃが形成されており、このラックギア６ｃ，６ｃに噛合するピニオンギア６ｄ，６ｄが回転自在に支持されている。なお、ピニオンギア６ｄ，６ｄのそれぞれには、図示しない駆動機構を介して互いに反対方向で、かつ、正逆両方向の回転が供給される。この構成により、一対のピニオンギア６ｄ，６ｄを互いに反対方向に回転させることにより、切換板６ａがガイド６ｂ，６ｂに沿って矢印Ｄ及びＥ方向に移動する。
【００４３】
例えば、設定可能な複数種類の解像度のうちの低い方の解像度が設定された場合には、ＣＰＵ５１は、ピニオンギア６ｄ，６ｄの回転によって切換板６ａを図８に示す位置に移動させる。この状態では、搬送ベルト２において回転軌道内の上側に位置している孔部２ａの全てが切換板６ａに形成されている調整孔７に全面にわたって対向する。このため、吸引ファン３は孔部２ａの全ての全面から切換板６ａの調整孔７を介して空気を吸引し、搬送ベルト２の上面に用紙Ｐが最大の吸着力で吸着することにより、比較的高速の搬送速度でも用紙Ｐを安定して搬送することができる。
【００４４】
一方、ＣＰＵ５１は、設定された解像度のうち高い方の解像度が設定された場合には、ＣＰＵ５１は、ピニオンギア６ｄ，６ｄの回転によって切換板６ａを図９に示す位置に移動させる。この状態では、搬送ベルト２において回転軌道内の上側に位置している孔部２ａの一部が切換板６ａにおける調整孔７以外の部分に対向する。このため、吸引ファン３は孔部２ａの開口範囲の一部において空気を吸引せず、搬送ベルト２の上面に対する用紙Ｐの吸着力が低下する。これにより、解像度が高くなるにしたがって低下する搬送速度に応じて、搬送ベルト２の上面に対する用紙Ｐの吸着力が低下し、この吸着力が用紙Ｐの搬送速度に対して過大となることがなく、用紙Ｐにおける変形の発生を未然に防止することができる。
【００４５】
図１０は、この発明の第４の実施形態に係る画像形成装置に適用される搬送ベルトの構成を示す要部の正面図である。この実施形態に係る画像形成装置１は、搬送ベルト２の回転軌道内において吸引ファン３を上下に移動自在に支持し、吸引ファン３の底面にソレノイド９のアクチュエータを固定したものであり、制御部５０のＣＰＵ５１は、設定された解像度に応じてソレノイド９を選択的に駆動する。
【００４６】
即ち、設定可能な複数種類の解像度のうちの低い方の解像度が設定された場合には、ＣＰＵ５１は、ソレノイド９を駆動せず、吸引ファン３は上方に位置する搬送ベルト２の内周面に近接する。この状態では、吸引ファン３と搬送ベルト２の上面に位置する用紙Ｐとの間隔が短くなり、用紙Ｐに対して吸引ファン３の吸引力が十分に作用する。このため、搬送ベルト２の上面に用紙Ｐが十分な吸着力で吸着することにより、比較的高速の搬送速度でも用紙Ｐを安定して搬送することができる。
【００４７】
一方、設定された解像度のうち高い方の解像度が設定された場合には、ＣＰＵ５１はソレノイド９を駆動し、吸引ファン３はソレノイド９内に引き込まれるアクチュエータとともに下方に移動し、吸引ファン３は上方に位置する搬送ベルト２の内周面から離間する。この状態では、吸引ファン３と搬送ベルト２の上面に位置する用紙Ｐとの間隔が短くなり、用紙Ｐに対して吸引ファン３から作用する吸引力が低下する。このため、解像度が高くなるにしたがって低下する搬送速度に応じて、搬送ベルト２の上面に対する用紙Ｐの吸着力が低下し、この吸着力が用紙Ｐの搬送速度に対して過大となることがなく、用紙Ｐにおける変形の発生を未然に防止することができる。
【００４８】
【発明の効果】
この発明によれば、以下の効果を奏することができる。
【００４９】
(1) 解像度に応じて選択されたプロセス速度に適した吸引力を用紙搬送手段から用紙に作用させることにより、解像度が変更された時にプロセス速度とともに変化する用紙搬送速度に応じて、用紙搬送手段の上面に対する用紙の吸着力を変化させることができる。これによって、高速で搬送される用紙の吸着力が不足して用紙の搬送不良を生じたり、低速で搬送される用紙の吸着力が過大となって用紙に変形を生じたりすることがなく、プロセス速度に拘わらず用紙搬送手段によって用紙を安定して搬送することができる。
【００５０】
(2) 高速のプロセス速度による低解像度の画像形成時には用紙搬送手段における用紙の吸着力を高くし、低速のプロセス速度による高解像度の画像形成時には用紙搬送手段における用紙の吸着力を低くすることにより、用紙を高速で搬送する際に安定して用紙を搬送するために十分な吸引力で用紙搬送手段の上面に用紙を吸着させることができるとともに、用紙を低速で搬送する際に過大な吸引力が作用することによる用紙の変形を防止することができる。
【００５１】
(3) 高速のプロセス速度による低解像度の画像形成時には駆動するファンの数を増加し、低速のプロセス速度による高解像度の画像形成時には駆動するファンの数を減少させることにより、用紙を高速で搬送する際に安定して用紙を搬送するために十分な吸引力で用紙搬送手段の上面に用紙を吸着させることができるとともに、用紙を低速で搬送する際に過大な吸引力が作用することによる用紙の変形を防止することができる。
【００５２】
(4) 用紙と吸引手段との間に位置する用紙搬送手段の開口部の開口面積を、高速のプロセス速度による低解像度の画像形成時には拡大し、低速のプロセス速度による高解像度の画像形成時には縮小させることにより、用紙を高速で搬送する際に安定して用紙を搬送するために十分な吸引力で用紙搬送手段の上面に用紙を吸着させることができるとともに、用紙を低速で搬送する際に過大な吸引力が作用することによる用紙の変形を防止することができる。
【００５３】
(5) 吸引手段と用紙搬送手段における用紙吸着面との間隔を、高速のプロセス速度による低解像度の画像形成時には縮小し、低速のプロセス速度による高解像度の画像形成時には拡大させることにより、用紙を高速で搬送する際に安定して用紙を搬送するために十分な吸引力で用紙搬送手段の上面に用紙を吸着させることができるとともに、用紙を低速で搬送する際に過大な吸引力が作用することによる用紙の変形を防止することができる。
【００５４】
(6) 吸引手段及び用紙搬送手段に対して同一の駆動源から駆動力を供給することにより、用紙搬送手段の駆動源とは個別の吸引手段に専用の駆動源を備える必要がなく、装置の大型化やコストの上昇を防止することができる。
【図面の簡単な説明】
【図１】この発明の実施形態に係る画像形成装置の構成を示す概略図である。
【図２】この発明の第１の実施形態に係る画像形成装置に備えられる搬送ベルトの構成を示す外観図である。
【図３】上記画像形成装置の制御部の要部の構成を示すブロック図である。
【図４】上記画像形成装置の別の実施形態に係る搬送ベルトの構成を示す平面図である。
【図５】この発明の第２の実施形態に係る画像形成装置に適用される搬送ベルトの構成を示す平面図である。
【図６】この発明の第３の実施形態に係る画像形成装置に適用される搬送ベルトの構成を示す外観図である。
【図７】上記画像形成装置に適用される搬送ベルトに設けられる切換機構の構成を示す平面図である。
【図８】上記切換機構の低解像度時の状態を示す図である。
【図９】上記切換機構の高解像度時の状態を示す図である。
【図１０】この発明の第４の実施形態に係る画像形成装置に適用される搬送ベルトの構成を示す要部の正面図である。
【符号の説明】
１−画像形成装置
２−搬送ベルト
３−吸引ファン
６−切換機構
５０−制御部
５１−ＣＰＵ
【図１】
0004112815.tif 000002
【図２】
0004112815.tif 000003
【図３】
0004112815.tif 000004
【図４】
0004112815.tif 000005
【図５】
0004112815.tif 000006
【図６】
0004112815.tif 000007
【図７】
0004112815.tif 000008
【図８】
0004112815.tif 000009
【図９】
0004112815.tif 000010
【図１０】
0004112815.tif 000011